(57)【要約】【課題】筐体が取付けられる組立工程以前の途中の工程で表示装置全体の動作確認及び性能確認検査を行うことができ、動作確認及び性能確認検査により動作／性能が不適正であった場合においても、筐体と関係なく不適正な箇所を修理することができる表示装置を提供する。【解決手段】前側の画像表示面に画像を表示する表示手段、及び挿脱が可能な記録媒体に対して記録／再生する記録再生部を有する表示装置本体の下部にスピーカを付設し、前記表示手段に動作指示信号を与える操作部を表示装置本体の上部一側に付設し、前記記録媒体を前記記録再生部へ案内する媒体案内部を表示装置本体の上部他側に付設することにより、表示装置本体を被覆する筐体が装着される組立工程以前の途中の工程で表示装置全体の動作確認及び性能確認検査を行うことができるようにした。【選択図】図１
2009118248.tif 000002
【特許請求の範囲】
【請求項１】
前側の画像表示面に画像を表示する表示手段を有する表示装置本体と、該表示装置本体に付設されている複数の付設部品と、前記画像表示面に対応する個所が開放され、前記表示装置本体及び付設部品を被覆する筐体とを備えることを特徴とする表示装置。
【請求項２】
前記付設部品の少なくとも一つ及び表示装置本体の一方は前後方向へ窪む嵌合凹部を有し、該嵌合凹部に嵌入される嵌合凸部を他方が有し、該嵌合凸部又は嵌合凹部を有する付設部品は、前記筐体の前記表示装置本体への取付けにより該筐体及び表示装置本体により挾着されている請求項１記載の表示装置。
【請求項３】
前側の画像表示面に画像を表示する表示手段、及び挿脱が可能な記録媒体に対して記録／再生する記録再生部を有する表示装置本体と、スピーカと、前記表示手段に動作指示信号を与える操作部と、前記記録媒体を前記記録再生部へ案内する媒体案内部と、前記画像表示面に対応する個所が開放され、前記表示装置本体を被覆する筐体とを備える表示装置において、前記スピーカ、操作部及び媒体案内部は前記表示装置本体に付設してあることを特徴とする表示装置。
【請求項４】
前記スピーカ、操作部及び媒体案内部の少なくとも一つ及び表示装置本体の一方は前後方向へ窪む嵌合凹部を有し、該嵌合凹部に嵌入される嵌合凸部を他方が有し、該嵌合凸部又は嵌合凹部を有するスピーカ、操作部及び媒体案内部のいずれかは、前記筐体の前記表示装置本体への取付けにより該筐体及び表示装置本体により挾着されている請求項３記載の表示装置。
【発明の詳細な説明】
【技術分野】
【０００１】
本発明は液晶表示装置、プラズマ表示装置等の表示装置に関する。
【背景技術】
【０００２】
液晶テレビジョン等の表示装置は、前側の画像表示面に画像を表示する表示手段を有し、略直方体をなす表示装置本体と、前記画像表示面に対応する個所が開放され、前記表示装置本体を被覆する筐体と、該筐体の内側に装着されているスピーカとを備える（例えば、特許文献１参照）。
【０００３】
また、液晶テレビジョン等の表示装置は、前側の画像表示面に画像を表示する表示手段を有し、略直方体をなす表示装置本体の一側に固定板が取付けられ、該固定板に、前記表示手段に動作指示信号を与える操作部が取付けられている（例えば、特許文献２参照）。
【０００４】
ところで、特許文献１、２のように表示装置本体、筐体とは別個にスピーカ、操作部等の部品が装着されている表示装置にあっては、スピーカ、操作部等の部品が装着されて組立てが完了した後、表示装置本体、スピーカ、操作部等の夫々が正常に動作するか、及び夫々の性能が適正であるかどうかの性能確認検査が行われる。
【特許文献１】特開２００５−２０３８９７号公報
【特許文献２】特開２００６−３３７９７８号公報
【発明の開示】
【発明が解決しようとする課題】
【０００５】
ところが、特許文献１のように表示装置本体を被覆する筐体の内側にスピーカが装着されている表示装置にあっては、筐体が表示装置本体に取付けられた後でないと表示装置全体の動作確認及び性能確認検査を行うことができないし、また、動作確認及び性能確認検査により動作／性能が不適正であった場合、筐体を取外し、表示装置本体及び付設部品を露出させて不適正な箇所を修理した後、筐体を再び取付ける必要があり、この修理作業工数の低減が要望されていた。また、動作／性能が不適正であった場合、筐体の取外し／取付け工数が増加するため、筐体の表面が損傷する機会が増えることになり、この点でも改善策が要望されていた。
【０００６】
また、特許文献２のように表示装置本体に取付けられた固定板に操作部が取付けられている表示装置にあっては、固定板が余計に必要であるため、部品点数が増加し、コスト高になるという問題があった。
【０００７】
本発明は斯かる事情に鑑みてなされたものであり、主たる目的はスピーカ、操作部等の付設部品を表示装置本体に付設することにより、筐体が取付けられる組立工程以前の途中の工程で表示装置全体の動作確認及び性能確認検査を行うことができ、動作確認及び性能確認検査により動作／性能が不適正であった場合においても、筐体と関係なく不適正な箇所を修理することができる表示装置を提供することにある。
【課題を解決するための手段】
【０００８】
本発明に係る表示装置は、前側の画像表示面に画像を表示する表示手段を有する表示装置本体と、該表示装置本体に付設されている複数の付設部品と、前記画像表示面に対応する個所が開放され、前記表示装置本体及び付設部品を被覆する筐体とを備えることを特徴とする。
【０００９】
この発明にあっては、表示装置本体に複数の付設部品が付設されているため、筐体が取付けられる組立工程以前の途中の工程で表示装置全体の動作確認及び性能確認検査を行うことができ、しかも、動作確認及び性能確認検査により動作／性能が不適正であった場合においても、筐体と関係なく不適正な箇所を修理することができ、また、筐体の表面が損傷する機会を削減できる。
【００１０】
また、本発明に係る表示装置は、前記付設部品の少なくとも一つ及び表示装置本体の一方は前後方向へ窪む嵌合凹部を有し、該嵌合凹部に嵌入される嵌合凸部を他方が有し、該嵌合凸部又は嵌合凹部を有する付設部品は、前記筐体の前記表示装置本体への取付けにより該筐体及び表示装置本体により挾着されている構成とするのが好ましい。
この発明にあっては、嵌合凸部を嵌合凹部へ嵌入することにより付設部品を表示装置本体に仮止めすることができ、また、筐体の表示装置本体への取付けにより前記付設部品を挾着固定することができるため、付設部品の筐体との位置合わせを簡易にできるとともに、付設部品の取外し／取付け作業性を高めることができる。
【００１１】
また、本発明に係る表示装置は、前側の画像表示面に画像を表示する表示手段、及び挿脱が可能な記録媒体に対して記録／再生する記録再生部を有する表示装置本体と、スピーカと、前記表示手段に動作指示信号を与える操作部と、前記記録媒体を前記記録再生部へ案内する媒体案内部と、前記画像表示面に対応する個所が開放され、前記表示装置本体を被覆する筐体とを備える表示装置において、前記スピーカ、操作部及び媒体案内部は前記表示装置本体に付設してあることを特徴とする。
【００１２】
この発明にあっては、スピーカ、操作部及び媒体案内部夫々が表示装置本体に付設されているため、筐体が取付けられる組立工程以前の途中の工程で表示装置全体の動作確認及び性能確認検査を行うことができ、しかも、動作確認及び性能確認検査により動作／性能が不適正であった場合においても、筐体と関係なく不適正な箇所を修理することができ、また、筐体の表面が損傷する機会を削減できる。
【００１３】
また、本発明に係る表示装置は、前記スピーカ、操作部及び媒体案内部の少なくとも一つ及び表示装置本体の一方は前後方向へ窪む嵌合凹部を有し、該嵌合凹部に嵌入される嵌合凸部を他方が有し、該嵌合凸部又は嵌合凹部を有するスピーカ、操作部及び媒体案内部のいずれかは、前記筐体の前記表示装置本体への取付けにより該筐体及び表示装置本体により挾着されている構成とするのが好ましい。
この発明にあっては、嵌合凸部を嵌合凹部へ嵌入することによりスピーカ等の付設部品を表示装置本体に仮止めすることができ、また、筐体の表示装置本体への取付けによりスピーカ等の付設部品を挾着固定することができるため、操作部等の付設部品の筐体との位置合わせを簡易にできるとともに、付設部品の取外し／取付け作業性を高めることができる。
【発明の効果】
【００１４】
本発明によれば、スピーカ等の複数の付設部品が表示装置本体に付設されているため、筐体が取付けられる組立工程以前の途中の工程で表示装置全体の動作確認及び性能確認検査を行うことができ、しかも、動作確認及び性能確認検査により動作／性能が不適正であった場合においても、筐体と関係なく不適正な箇所を修理することができる。また、動作確認及び性能確認検査の後で筐体を取付けることができるため、筐体の表面が損傷する機会を削減でき、筐体の品位を保つことができる。
【発明を実施するための最良の形態】
【００１５】
以下本発明をその実施の形態を示す図面に基づいて詳述する。図１は本発明に係る表示装置の構成を示す一部を切欠いた背面側の斜視図、図２は操作部で縦断した縦断側面図、図３はスピーカ付設部の構成を示す背面側の斜視図、図４は操作部付設部の構成を示す背面側の分解斜視図、図５はスピーカの付設部の構成を示す拡大図、図６は操作部の付設部の構成を示す拡大図、図７は媒体案内部の付設部の構成を示す拡大図である。
【００１６】
図示した表示装置は、前側の画像表示面に画像を表示する表示手段１１、及び挿脱が可能な記録媒体に対して記録／再生する記録再生部１２を有し、略直方体をなす表示装置本体１と、該表示装置本体１の下部両側に付設され、音波を前方へ放射するスピーカ２，２と、表示装置本体１の背面上部一側に付設され、前記表示手段１１に動作指示信号を与える操作部３と、表示装置本体１の背面上部他側に付設され、前記記録媒体を前記記録再生部１２へ案内する媒体案内部４と、表示装置本体１の前側周縁部を取囲むフロントキャビネット５と、表示装置本体１の後側を被覆するバックキャビネット６と、表示装置本体１を起立状態で支持するスタンド７とを備える薄型の液晶テレビジョンである。尚、フロントキャビネット５及びバックキャビネット６が筐体を構成しており、また、スピーカ２、操作部３及び媒体案内部４が付設部品を構成している。
【００１７】
表示装置本体１は前側にテレビ画像等を表示する画像表示面を有する液晶のパネル１３と、該パネル１３の後側に配された拡散板等の光学シート１４と、該光学シート１４の後側に配されたバックライト部１５及び該バックライト部１５の後面に取付けられた電源基板等のテレビ基板１６とを備える。
【００１８】
バックライト部１５は、上下に離隔して並置される複数本のランプ１５ａと、前方へ開放され、ランプ１５ａを収容して支持する深皿形をなす支持ケース１５ｂとを有する。テレビ基板１６は複数本の雄螺子により取外しを可能に取付けられている。
【００１９】
表示装置本体１の下側辺の長手方向両側には、前方へ窪む二つの第１の嵌合凹部１７，１７が長手方向へ離隔して設けられている。また、表示装置本体１の上側辺には、後部から下方へ窪む段部１ａが設けられており、該段部１ａの長手方向一側に、前方へ向けて窪む二つの第２の嵌合凹部１８，１８が長手方向へ離隔して設けられており、段部１ａの長手方向他側に、前方へ向けて窪む二つの第３の嵌合凹部１９，１９が長手方向へ離隔して設けられている。
【００２０】
第１の嵌合凹部１７，１７は、図５に示すように表示装置本体１の下面に開放された狭溝１７ａ及び該狭溝１７ａの上縁に連なる広溝１７ｂを有する略Ｔ字形をなしている。第２及び第３の嵌合凹部１８，１９は、段部１ａから表示装置本体１の上面に開放された狭溝１８ａ，１９ａ及び該狭溝１８ａ，１９ａの下縁に連なる広溝１８ｂ，１９ｂを有する略逆Ｔ字形をなしている。
【００２１】
記録媒体に対して記録／再生する記録再生部１２は、表示装置本体１の後面上部の他側に取付けられた基板に実装されており、媒体案内部４が案内するＢ−ＣＡＳカードの記録／再生をすることができるように構成されている。
【００２２】
スピーカ２は、音源及び該音源を収容し、音源が発生した音波を前方へ放射する音波放射部を有するケース体２１とを備える。ケース体２１は略直方体をなし、上面に、第１の嵌合凹部１７，１７に嵌入される二つの第１の嵌合凸部２２，２２が横方向へ離隔して設けられている。第１の嵌合凸部２２，２２は、図５に示すように前記上面に突設された首部２２ａ及び該首部２２ａの上縁に連なる頭部２２ｂを有する略Ｔ字形をなし、前後方向への挿脱を可能に第１の嵌合凹部１７，１７に嵌入される。嵌合凸部２２，２２及び嵌合凹部１７，１７の間には若干の隙間があり、嵌合凹部１７，１７に対する嵌合凸部２２，２２の位置を変えることができるようになっている。
【００２３】
操作部３は、前記主電源スイッチを操作する押釦３１ａと、入力切換スイッチを操作する押釦３１ｂと、テレビ放送選択スイッチを操作する押釦３１ｃと、音量調整スイッチを操作する押釦３１ｄと、主電源スイッチ，入力切換スイッチ，テレビ放送選択スイッチ及び音量調整スイッチが搭載されている回路基板と、前記押釦３１ａ〜３１ｄ夫々及び回路基板を保持する保持ケース３２とを有し、押釦３１ａ〜３１ｄ夫々が上下への動作を可能になっている。
【００２４】
保持ケース３２は図２に示すように前記回路基板が収容されているケース本体３２ａと、該ケース本体３２ａの開放部を閉塞し、雄螺子３２ｃによりケース本体３２ａに結合されている蓋体３２ｂとを有する略直方体をなし、前面上部（蓋体３２ｂの前面）に、第２の嵌合凹部１８，１８に嵌入される二つの第２の嵌合凸部３３，３３が横方向へ離隔して設けられている。第２の嵌合凸部３３，３３は、図６に示すように前面に突設された広幅柱形部３３ａ及び該広幅柱形部３３ａの上面に連なる狭幅柱形部３３ｂを有する略逆Ｔ字形をなし、前後方向への挿脱を可能に第２の嵌合凹部１８，１８に嵌入される。嵌合凸部３３，３３及び嵌合凹部１８，１８の間には若干の隙間があり、嵌合凹部１８，１８に対する嵌合凸部３３，３３の位置を変えることができるようになっている。
【００２５】
媒体案内部４は、接触式のＩＣカードであるＢ−ＣＡＳカードを記録再生部１２と対向する位置へ案内する案内孔４１を有する案内ケースであり、該案内ケースの前面上部に、第３の嵌合凹部１９，１９に嵌入される二つの第３の嵌合凸部４２，４２が横方向へ離隔して設けられている。第３の嵌合凸部４２，４２は、図７に示すように前面に突設された広幅柱形部４２ａ及び該広幅柱形部４２ａの上面に連なる狭幅柱形部４２ｂを有する略逆Ｔ字形をなし、前後方向への挿脱を可能に第３の嵌合凹部１９，１９に嵌入される。嵌合凸部４２，４２及び嵌合凹部１９，１９の間には若干の隙間があり、嵌合凹部１９，１９に対する嵌合凸部４２，４２の位置を変えることができるようになっている。
【００２６】
フロントキャビネット５は、前記画像表示面に対応する個所が開放され、表示装置本体１の前側周縁部及びスピーカ２，２の前側を被覆しており、支持ケース１５ｂの周縁部に複数本に雄螺子により取外しを可能に取付けられている。また、フロントキャビネット５のスピーカ２，２前面と対向する個所には音波放射部が放射した音波を前方へ放音する複数の放音孔が開設されている。
【００２７】
バックキャビネット６は、表示装置本体１の後側及び周縁部と、スピーカ２，２、操作部３、媒体案内部４を被覆する正面視矩形の深皿形をなし、支持ケース１５ｂの周縁部に複数本に雄螺子により取外しを可能に取付けられている。
【００２８】
バックキャビネット６の下部で横方向両側にはケース体２１，２１の後面上部に当接する二つの第１の当接部６１，６１と（図１参照）、スタンド７の二つの支柱部７１，７１が挿通される二つの挿通孔とが設けられている。第１の当接部６１，６１は、バックキャビネット６が表示装置本体１の周縁部に取付けられた際、表示装置本体１の後面との間でスピーカ２，２を挾着固定することができるように形成されている。
【００２９】
バックキャビネット６の上部で横方向一側には保持ケース３２の上部に対応する開放孔６２及び保持ケース３２の後面上部に当接する第２の当接部６３が設けられており（図２参照）、開放孔６２に操作部３の押釦３１ａ〜３１ｄ夫々を配してある。第２の当接部６３は、バックキャビネット６が表示装置本体１の周縁部に取付けられた際、表示装置本体１の後面との間で保持ケース３２を挾着固定することができるように形成されている。
【００３０】
バックキャビネット６の上部で横方向他側には媒体案内部４の上面に対応する開放孔と、該開放孔の縁部に枢支され、開放孔を開閉するカバー体及び媒体案内部４の後面上部に当接する第３の当接部６４が設けられている（図１参照）。第３の当接部６４は、バックキャビネット６が表示装置本体１の周縁部に取付けられた際、表示装置本体１の後面との間で媒体案内部４を挾着固定することができるように形成されている。
【００３１】
以上のように構成された表示装置は、表示装置本体１が組立られ、該表示装置本体１の後面下部にスタンド７が取付けられた後、スタンド７により起立された表示装置本体１の下部両側の第１の嵌合凹部１７，１７にスピーカ２，２が仮止めされ、表示装置本体１の上部一側の第２の嵌合凹部１８，１８に操作部３が仮止めされ、表示装置本体１の他側の第３の嵌合凹部１９，１９に媒体案内部４が仮止めされる。
【００３２】
スピーカ２，２は第１の嵌合凸部２２，２２を第１の嵌合凹部１７，１７へ嵌入することにより仮止めすることができ、操作部３は第２の嵌合凸部３３，３３を第２の嵌合凹部１８，１８へ嵌入することにより仮止めすることができ、媒体案内部４は第３の嵌合凸部４２，４２を第３の嵌合凹部１９，１９へ嵌入することにより仮止めすることができる。
【００３３】
このようにスピーカ２，２、操作部３及び媒体案内部４が仮止めされた後、表示装置本体１、スピーカ２，２、操作部３、媒体案内部４に挿入されるＢ−ＣＡＳカードの記録再生部１２等の表示装置全体の動作確認及び性能確認検査が行われる。この場合、筐体としてのフロントキャビネット５及びバックキャビネット６は取付けられていないため、動作確認及び性能確認検査により動作／性能に不適正な箇所があったとき、フロントキャビネット５及びバックキャビネット６と関係なく、換言するとフロントキャビネット５及びバックキャビネット６から順番に分解することなく不適正な箇所を修理することができ、修理の作業性を高めることができる。
【００３４】
表示装置全体の動作確認及び性能確認検査を行った後、組立の最終工程で表示装置本体１に設けられている切換部を表示装置の仕向地に応じて外部操作し、仕向地に応じたデザインのフロントキャビネット５及びバックキャビネット６が取付けられる。従って、表示装置の仕向地が異なる場合においても、複数の仕向地向けの表示装置を同一生産ライン上で組立てることができる。
【００３５】
表示装置全体の動作確認及び性能確認検査で合格した後、フロントキャビネット５が表示装置本体１の周縁部前側に挿嵌され、複数本の雄螺子により支持ケース１５ｂの周縁部に取付けられる。また、バックキャビネット６が表示装置本体１の周縁部後側に挿嵌される。この際、スピーカ２，２、操作部３及び媒体案内部４がバックキャビネット６により被覆され、保持ケース３２の上部が開放孔６２に配される。また、スピーカ２，２、保持ケース３２及び媒体案内部４に設けられている第１〜第３の嵌合凸部２２，３３，４２と、第１〜第３の嵌合凹部１７，１８，１９との間には若干の隙間があり、ケース体２１、保持ケース３２及び媒体案内部４の嵌合凹部１７，１８，１９に対する位置を変えることができるため、スピーカ２，２の位置を微調整することができ、保持ケース３２と開放孔６２内面との間の隙間量を均一に修正でき、また、媒体案内部４と開放孔内面との間の隙間量を均一に修正することができる。
【００３６】
また、バックキャビネット６の表示装置本体１への挿嵌により、第１の当接部６１，６１がスピーカ２，２の後面上部に緩衝剤（図示せず）を介して当接し、第２の当接部６３が保持ケース３２の後面上部に当接し、第３の当接部６４が媒体案内部４の後面上部に当接し、この状態でバックキャビネット６が複数本の雄螺子により表示装置本体１の支持ケース１５ｂに取付けられることにより、第１の当接部６１と表示装置本体１の後面との間でスピーカ２，２を挾着固定することができ、第２〜第３の当接部６３，６４と表示装置本体１の後面との間で操作部３及び媒体案内部４を挾着固定することができる。
【００３７】
また、以上のように表示装置全体の動作確認及び性能確認検査を行った後でフロントキャビネット５及びバックキャビネット６が取付けられるため、動作／性能が不適正であった場合においても、フロントキャビネット５及びバックキャビネット６の取外し／取付け工数を削減でき、フロントキャビネット５及びバックキャビネット６の表面が損傷する機会を減少することができ、フロントキャビネット５及びバックキャビネット６の品位を保つことができる。
【００３８】
尚、以上説明した実施の形態では、付設部品としてのスピーカ２，２、操作部３及び媒体案内部４を備える構成としたが、その他、媒体案内部４がなく、スピーカ２，２の少なくとも一つ及び操作部３を備える構成としてもよい。
【００３９】
また、以上説明した実施の形態ではスピーカ２，２、操作部３及び媒体案内部４夫々に嵌合凸部２２，３３，４２を設け、表示装置本体１に嵌合凹部１７，１８，１９を設けたが、その他、スピーカ２，２、操作部３及び媒体案内部４のいずれか一つに嵌合凸部を設け、他の付設部品を雄螺子等の取付具により取付ける構成としてもよい。また、スピーカ２等の付設部品に嵌合凸部を設け、表示装置本体１に嵌合凹部を設ける他、スピーカ２等の付設部品に嵌合凹部を設け、表示装置本体１に嵌合凸部を設ける構成としてもよい。
【００４０】
また、以上説明した実施の形態では表示装置本体１の下側にスピーカ２が付設されている構成について説明したが、その他、スピーカ２は表示装置本体１の両側部、一側部又は上部に装着されている構成であってもよく、略直方体をなす表示装置本体１のいずれか一辺側に付設される構成であればよい。
【００４１】
また、本発明に係る表示装置は液晶テレビジョン等の液晶表示装置である他、プラズマ表示装置、ＥＬディスプレイ等の表示装置であってもよい。
【図面の簡単な説明】
【００４２】
【図１】本発明に係る表示装置の構成を示す一部を切欠いた背面側の斜視図である。
【図２】本発明に係る表示装置の操作部で縦断した縦断側面図である。
【図３】本発明に係る表示装置のスピーカ付設部の構成を示す背面側の斜視図である。
【図４】本発明に係る表示装置の操作部付設部の構成を示す背面側の分解斜視図である。
【図５】本発明に係る表示装置のスピーカの付設部の構成を示す拡大図である。
【図６】本発明に係る表示装置の操作部の付設部の構成を示す拡大図である。
【図７】本発明に係る表示装置の媒体案内部の付設部の構成を示す拡大図である。
【符号の説明】
【００４３】
１    表示装置本体
１１  表示手段
１２  記録再生部
１７，１８，１９  嵌合凹部
２    スピーカ（付設部品）
２２  嵌合凸部
３    操作部（付設部品）
３３  嵌合凸部
４    媒体案内部（付設部品）
４２  嵌合凸部
５    フロントキャビネット（筐体）
６    バックキャビネット（筐体）
【図１】
2009118248.tif 000003
【図２】
2009118248.tif 000004
【図３】
2009118248.tif 000005
【図４】
2009118248.tif 000006
【図５】
2009118248.tif 000007
【図６】
2009118248.tif 000008
【図７】
2009118248.tif 000009